(57)【要約】【課題】  本発明は、ＣＤなどからリッピングした互いに異なる録音レベルを有する複数の楽曲の音楽データに対して、該録音レベルを所定レベルに補正した音楽データを内蔵ＨＤＤに記録するオーディオ情報記録装置を提供する。【解決手段】  音楽データを内蔵ＨＤＤに記録するオーディオ情報記録装置に、取り込まれた前記音楽データを一時的に格納するテンポラリバッファ部Ｂと、該テンポラリバッファ部から読み出した音楽データの平均音信号レベルを補正する補正部Ｋを備え、該補正部で所定レベルに揃えられた音楽データを前記ＨＤＤに記録する。該ＨＤＤに記録された楽曲データを再生するとき、各楽曲の音楽データを同一音量条件で再生システムに提供できる。【選択図】      図１
2006209846.tif 000002
【特許請求の範囲】
【請求項１】
取り込まれたオーディオ情報を記録媒体に記録するオーディオ情報記録装置において、
取り込まれた前記オーディオ情報を一時的に格納するテンポラリバッファ部と、
前記テンポラリバッファ部から読み出した前記オーディオ情報に含まれる音信号の音信号レベルを補正し、該補正された前記音信号を含む当該オーディオ情報を前記記録媒体に記録する記録部と、
を備えたことを特徴とするオーディオ情報記録装置。
【請求項２】
取り込まれた前記オーディオ情報は、オーディオ情報ファイル毎に前記テンポラリバッファ部に格納されることを特徴とする請求項１に記載のオーディオ情報記録装置。
【請求項３】
前記記録部は、前記テンポラリバッファ部に格納された前記オーディオ情報ファイル毎に平均音信号レベルを検出し、該平均音信号レベルに基づいて前記補正を実行する補正部を有することを特徴とする請求項２に記載のオーディオ情報記録装置。
【請求項４】
前記補正部は、前記テンポラリバッファ部に格納されたオーディオ情報ファイルを読み出し、該オーディオ情報ファイルの音信号データに対して、検出された前記平均音信号レベルを、任意に設定された基準音信号レベルに一致させる補正を実行すること特徴とする請求項３に記載のオーディオ情報記録装置。
【請求項５】
前記補正部は、前記テンポラリバッファ部に格納されたオーディオ情報ファイルを読み出し、該オーディオ情報ファイルの音信号データに対して、検出された前記平均音信号レベルを、設定された標準の基準音信号レベルに一致させる補正を実行すること特徴とする請求項３に記載のオーディオ情報記録装置。
【請求項６】
前記補正部は、前記テンポラリバッファ部に最初に格納されたオーディオ情報ファイルを読み出し、該オーディオ情報ファイルから検出された平均音信号レベルを基準音信号レベルとし、前記テンポラリバッファ部に以後に格納されたオーディオ情報ファイルの音信号データに対して、該オーディオ情報ファイルの各平均音信号レベルを前記基準音信号レベルに一致させる補正を実行すること特徴とする請求項３に記載のオーディオ情報記録装置。
【請求項７】
前記補正部は、当該オーディオ情報ファイルに係る前記平均音信号レベルと前記基準音信号レベルに基づいて補正係数を求め、当該オーディオ情報ファイルに含まれる音信号データに該補正係数を乗算して音信号レベルの補正を実行することを特徴とする請求項４乃至６のいずれか一項に記載のオーディオ情報記録装置。
【請求項８】
前記記憶部は、前記補正係数を当該オーディオ情報ファイルに関連付けたテーブルで記憶し、管理することを特徴とする請求項７に記載のオーディオ情報記録装置。
【請求項９】
前記記憶部は、前記補正係数を当該オーディオ情報ファイルとともに前記記憶媒体に記憶することを特徴とする請求項７に記載のオーディオ情報記録装置。
【請求項１０】
前記補正部は、前記記録媒体に記録された前記オーディオ情報ファイルに含まれる音信号データの平均音信号レベルを、ユーザが指定した基準音信号レベルに補正することができる請求項２乃至９のいずれか一項に記載のオーディオ情報記録装置。
【請求項１１】
前記補正部は、前記記録媒体に複数のオーディオ情報ファイルが記録されている場合、該各オーディオ情報ファイルの平均音信号レベルを一括して補正することができる請求項１０に記載のオーディオ情報記録装置。
【請求項１２】
前記補正部は、ユーザによる禁止又は許可の設定に応じて前記オーディオ情報ファイルに対する前記補正を実行することを特徴とする請求項１０又は１１に記載のオーディオ情報記録装置。
【請求項１３】
前記補正部は、前記基準音信号レベルが、前記テンポラリバッファ部に格納された前記オーディオ情報ファイルに係る前記平均音信号レベルのうちの最大音信号レベルを超える場合に、該最大音信号レベルに基づいて、当該オーディオ情報ファイルの音信号データに対する前記補正係数を求めることを特徴とする請求項７乃至１２のいずれか一項に記載のオーディオ情報記録装置。
【請求項１４】
前記記録部は、前記補正部が前記テンポラリバッファ部から読み出された当該オーディオ情報ファイルの音信号データに対して前記補正を実行したときに、該音信号の記録時にクリッピングが発生する場合に、該オーディオ情報の前記記録媒体への記録に関するクリッピング報知情報を出力することを特徴とする請求項２乃至１３のいずれか一項に記載のオーディオ情報記録装置。
【請求項１５】
前記記録部は、ユーザの出力可否の設定に従って、前記クリッピング報知情報を出力することを特徴とする請求項１４に記載のオーディオ情報記録装置。
【請求項１６】
前記記録部は、ユーザによって補正時におけるクリッピング発生の許可が選択された場合、前記補正部に当該オーディオ情報ファイルの音信号データに対する前記補正を実行させることを特徴とする請求項１４に記載のオーディオ情報記録装置。
【請求項１７】
前記記録部は、ユーザによって補正時におけるクリッピング発生の禁止が選択された場合、ユーザが設定した基準音信号レベルに従って、前記補正部に当該オーディオ情報ファイルの音信号データに対する前記補正を実行させることを特徴とする請求項１４に記載のオーディオ情報記録装置。
【請求項１８】
前記記録部は、ユーザが前記基準音信号レベルを設定した場合、前記記録媒体に記録された前記オーディオ情報ファイルの音信号データに対して、前記補正部に前記基準音信号レベルに従った前記補正を実行させることを特徴とする請求項１７に記載のオーディオ情報記録装置。
【請求項１９】
前記記録部は、ユーザによって補正時におけるクリッピング発生の禁止が選択された場合、前記補正部に当該オーディオ情報ファイルの音信号データに対する前記補正を実行させないことを特徴とする請求項１４に記載のオーディオ情報記録装置。
【請求項２０】
前記記録部は、ユーザによって補正時におけるクリッピング発生の禁止が選択された場合、前記オーディオ情報ファイルの前記記録媒体への記録を停止することを特徴とする請求項１４に記載のオーディオ情報記録装置。
【請求項２１】
前記記録部は、前記補正部が前記オーディオ情報ファイルの音信号データに対する前記補正を実行し、前記記録媒体に前記オーディオ情報ファイルを記録している間、電源が切断されないように監視し、警告情報を出力することを特徴とする請求項１乃至２０のいずれかに記載のオーディオ情報記録装置。
【請求項２２】
前記記録媒体は、書込み及び読出しが自在な記憶手段であり、
前記テンポラリバッファ部が、前記記録媒体の一部であることを特徴とする請求項１乃至２１のいずれか一項に記載のオーディオ情報記録装置。
【請求項２３】
前記記録部は、補正された前記音信号を含む前記オーディオ情報を前記記録媒体に記録した後、前記テンポラリバッファ部に一時的に格納された前記オーディオ情報を消去することを特徴とする請求項２２に記載のオーディオ情報記録装置。
【発明の詳細な説明】
【技術分野】
【０００１】
本発明は、オーディオ情報記録装置に関し、特に、ハードディスクなどの記録媒体を内蔵し、音楽などのオーディオ情報を、該記録媒体に記録することができ、記録されたオーディオ情報から所望のものを随時選択して読み出し、オーディオ再生処理に供給することができるオーディオ情報記録装置に関する。
【背景技術】
【０００２】
従来から、装置に内蔵された記録媒体に、オーディオ情報ファイルとして、例えば、多数の楽曲の音楽データを記録しておき、その音楽データの検索を容易に行えるようにした記録再生装置が広く使用されている。
【０００３】
従来でも、多数のコンパクト・ディスク（ＣＤ）を収納し、ＣＤの自動再生を行えるようにした、所謂、ＣＤチェンジャが実用化されている。このＣＤチェンジャでは、数１０枚乃至数１００枚のＣＤを一つの筐体に収納し、所定の操作により選択されたＣＤの再生を自動的に行う。ＣＤの再生は、ＣＤ毎に行うこともできるし、複数枚のＣＤを選択して、ＣＤ単位、あるいは収録されている曲単位でランダム再生を行うようにもできる。このＣＤチェンジャは、主に固定的に、すなわち室内に設置されて使用されることが多い。
【０００４】
このＣＤチェンジャにおいては、自動再生の際にも、ＣＤの交換時間が発生してしまうため、連続再生を実現するのが困難であった。また、１００枚や２００枚のＣＤを収納するようなＣＤチェンジャは、筐体が大きく、且つ重くなってしまい、持ち運びや設置に非常に不便であった。
【０００５】
そこで、この問題を解決するために、比較的小型で記録容量が大きいハードディスクドライブ（ＨＤＤ）などの記録媒体を用いたオーディオ情報記録装置が提案された。この提案されているオーディオ情報記録装置のシステム構成の例を、図１３に示した。同図のシステム構成は、オーディオ情報記録装置が自動車の車室内に搭載されるステレオ再生システムに組み込まれた場合である。
【０００６】
図１３に示されたステレオ再生システムは、オーディオ情報ソースからリッピングされたオーディオ情報に基づいて、自動車の車室内に設置された４個のスピーカを音響駆動するように構成されている。例えば、４個のスピーカのうち、スピーカＦＳＰ１とＦＳＰ２が、左右のフロントドアの下部に夫々取り付けられ、さらに、スピーカＲＳＰ１とＲＳＰ２が、後部座席の背部の左右に夫々設置される。これらの４個のスピーカを駆動するステレオ再生システムは、Ａ／Ｄ変換部１、ディジタル・インタフェース・レシーバ（ＤＩＲ）２、ディジタル・シグナル処理部（ＤＳＰ）３、Ｄ／Ａ変換部４、音量制御部５、そして、パワーアンプ部６を備えている。
【０００７】
一般に、自動車に搭載されるステレオ再生システムには、アナログカセットデッキ、ＣＤプレーヤ、ＭＤプレーヤ、衛星テレビ放送受信チューナ、ＦＭ／ＡＭ放送受信チューナなど、種々のオーディオ情報ソースを多数接続可能となっている。そして、ユーザが所望のオーディオ情報ソースを選択すると、所望のオーディオ情報ソースから入力したオーディオ信号が選択され、例えば、音場制御用のＤＳＰ３で処理可能な所定のディジタルオーディオ信号の形式に変換されて、当該ＤＳＰ３に入力されるようになっている。
【０００８】
アナログカセットデッキ、衛星テレビ放送受信チューナ、ＦＭ／ＡＭ放送受信チューナのいずれかが選択された場合には、それから取り込まれたオーディオ信号が、Ａ／Ｄ変換部１でディジタル信号に変換されてＤＳＰ３に入力される。また、ＣＤプレーヤ又はＭＤプレーヤが選択された場合には、それからリッピングされたオーディオ信号は、ＤＩＲ２を介してＤＳＰ３に入力される。
【０００９】
そして、ＤＳＰ３において、例えば、音場処理されたディジタルオーディオ信号は、フロントスピーカＦＳＰ１とＦＳＰ２、リアスピーカＲＳＰ１とＲＳＰ２などを音響駆動するために、Ｄ／Ａ変換部４において、チャンネル別にＤＡ変換されて、音量制御部５を経てパワーアンプ部６に入力される。音量制御部５は、４個のスピーカから放音される音のレベルについて、ユーザが設定した所望音レベルに制御する。
【００１０】
一方、オーディオ再生システムに組み込まれるオーディオ情報記録装置は、一般的に、オーディオ制御部１１、ＲＯＭ１２、ＲＡＭ１３、圧縮エンコーダ／デコーダ部１４、表示制御部１５、表示部１６、ＨＤＤ制御部１７、そして、ハードディスクドライブ（ＨＤＤ）１８を備え、これらは、バス１９に接続されて、データを伝送し、互いに通信することができる。
【００１１】
ＣＰＵを有しているオーディオ制御部１１は、ＲＯＭ１２に格納されているプログラムに従って、ＲＡＭ１３を該プログラムの動作領域メモリとして使用しながら、オーディオ情報記録装置全体を制御する。表示制御部１５は、表示ドライバを備えており、オーディオ制御部１１の指示に従って、液晶ディスプレイなどによる表示部１６を表示駆動する。表示部１６には、オーディオ関連情報や、記録操作情報などが表示される。
【００１２】
ＨＤＤ制御部１７は、ＨＤＤ・Ｉ／Ｆドライバ、ＨＤＤマイコンを備えており、オーディオ情報ファイルについて、ＨＤＤ１８への記録、ＨＤＤ１８からの読み出しを制御する。圧縮エンコーダ／デコーダ部１４は、ＨＤＤ制御部１７の指示に従って、オーディオ情報のＨＤＤ１８への記録時には、オーディオ情報ファイルを圧縮処理し、また、オーディオ情報のＨＤＤ１８への記録時には、オーディオ情報ファイルを圧縮エンコードコード処理し、また、オーディオ情報ファイルをＨＤＤ１８から読み出す時には、オーディオ情報ファイルを圧縮デコード処理する。
【００１３】
以上のような構成のオーディオ情報記録装置では、例えば、ＣＤに記録されているオーディオ情報ファイルを取り出し、取り出されたオーディオ情報ファイルを所定の方法で圧縮符号化し、ＨＤＤ１８に記録し、蓄積する。６ＧＢ程度の記録容量を有するＨＤＤを用いることにより、１０００曲程度の音楽データを記録することができる。オーディオ情報記録装置では、上述のＣＤチェンジャのように、ＣＤを交換する手間が要らないので、連続再生が容易であり、１台のＨＤＤに多数のオーディオ情報ファイルを記録することができるため、筐体を小型化することが出来るという利点がある。
【００１４】
ところで、この様なオーディオ情報記録装置においては、オーディオ情報ソース、例えば、複数のＣＤから再生されたオーディオ情報ファイルがＨＤＤ１８に記録されるが、各ＣＤの音楽データ再生時の音量レベルは、個々のＣＤの編集条件等が必ずしも同じでないため、ＣＤ毎に異なっている。従来のオーディオ情報記録装置では、ＣＤなどが入力手段に挿入されると同時に、ＣＤなどに記録されているオーディオ情報ファイルがリッピングされ、ＨＤＤに記録される仕様になっている。従って、オーディオ情報記録装置内に記録された複数枚のＣＤのオーディオ情報ファイルは、それらの音量レベルが互いに異なる。音量レベルは、通常、時々刻々変化する音楽の音信号のレベルであるが、ここでは、音量レベルとは、オーディオ情報ファイルに係る音信号の所定時間内における平均値を指している。
【００１５】
そこで、音量レベルが互いに異なる複数のＣＤから所望の複数の曲をランダムに選択して再生すると、再生時の音量レベルが曲により異なるので、音量が大きくなったり、小さくなったりする。このため、ユーザは、所望の音量を保つために、音量制御部５のボリュームコントロールを頻繁に行わなければならないという煩わしさがあった。また、ＨＤＤ１８に記録されている複数のＣＤからコピーした曲を指定し、ＭＤ等の他のメディアに記録して、オリジナルアルバムを作成した場合に、作成されたメディアを再生すると楽曲毎に音量レベルが異なってしまう。
【００１６】
そのため、それぞれ異なる音量レベルで記録された複数の楽曲を、オーディオ情報記録装置内のＨＤＤに記録し、再生するとき、常に、一定の音量レベルで再生されるようにしたオーディオ情報記録装置が提案されている（例えば、特許文献１を参照）。
【００１７】
この提案されたオーディオ情報記録装置では、異なる音量レベルで記録されたオーディオ情報ソースの複数を装置内に記録して再生すると、再生音が楽曲によって大きかったり小さかったりしてユーザに不快感を与えるといった課題を解決するものとして、オーディオ情報の入力手段から入力される信号の音量レベルを検出するレベル検出手段を設け、入力されたオーディオ情報ファイルをＨＤＤに記録する際に、付加情報として音量レベル情報を記録しておき、再生時に、記録された音量レベル情報を用いて当該オーディオ情報に係る再生音のレベルを制御するようにしている。
【００１８】
【特許文献１】特開２００３−１６２８８３号公報
【発明の開示】
【発明が解決しようとする課題】
【００１９】
この提案されたオーディオ情報記録装置では、ＣＤからリッピングされたオーディオ情報ファイルをＨＤＤに記録するときには、ＴＯＣ情報から楽曲の終点を検知するまで、指定された楽曲のＣＤから、再生とＨＤＤへの記録を繰り返す。楽曲の終点を検知すると、ＣＤの再生動作を停止させ、ＨＤＤに記録した楽曲のファイル情報をＨＤＤに登録する。ＣＤの再生システムから出力され、ＨＤＤに記録中の再生データは、レベル検出回路にも入力され、再生データの音量レベルが検出される。
【００２０】
レベル検出回路で検出された音量レベルのデータは、楽曲毎に所定時間中の平均値が算出され、音量レベル情報として読み込まれ、指定された楽曲のＨＤＤへの記録が完了すると、当該音量レベル情報は、その音量レベル情報を記録された楽曲の付加情報としてＨＤＤに記録される。
【００２１】
次に、ＨＤＤに記録された楽曲の再生する場合には、ユーザにより所望の楽曲が指定されると、ＨＤＤに記録されているオーディオ情報ファイルの音楽データが読み出され、当該音楽データが圧縮エンコード処理されている場合には、圧縮デコード処理されてレベル変換回路に入力される。レベル変換回路は、ＨＤＤに付加情報として記録された当該楽曲に係る音量レベル情報に基づいた乗算係数と、ＨＤＤから読み出された音楽データの音量レベルとの乗算を行う。この乗算によって音量レベルが変換された音楽データがＤ／Ａ変換部に出力される。
【００２２】
この様にして、この提案されたオーディオ情報記録装置では、ＨＤＤに記録した音楽データ毎に、音量レベル情報を付加情報として記録しておき、当該音楽データを再生するときに、この付加情報を使用して、読み出された音楽データの音量レベルを一定になるように補正するようにしている。これにより、記録された楽曲の音量レベルがそれぞれ異なっていても、ユーザに快適なオーディオ再生が実現される。
【００２３】
この提案されたオーディオ情報記録装置においては、異なる音量レベルで記録された複数のＣＤの音楽データをＨＤＤにコピーして、コピーされた楽曲をランダムに選択して再生した場合であっても同じ音量レベルでの再生が可能になるので、ユーザは、この音量レベルの違いに応じた音量調整をしなければならないという煩わしさが無くなる。
【００２４】
しかしながら、このオーディオ情報記録装置は、内蔵しているＨＤＤに記録された楽曲データの再生時における音量レベルを調整することを可能にしているが、オーディオ情報ファイルに対して必ず付加情報として音量レベル情報を記録する必要があり、この音量レベル情報が存在しないと、オーディオ情報ファイルの音楽データの再生時に音量レベルを一定に補正できないため、この補正する機能を備えたオーディオ再生システムでなければ、音量調整の煩わしさから解放されないという問題がある。
【００２５】
そこで、本発明は、互いに異なる録音レベルで記録された複数のＣＤなどからリッピングした楽曲に対して、音量レベルが所定のレベルに補正された楽曲をＨＤＤに記録するようにして、録音レベルの大きい楽曲の後で、録音レベルの小さい楽曲を再生するとき、或いは、録音レベルの小さい楽曲の後で、録音レベルの大きい楽曲を再生するとき、ユーザが、その都度、音量を調整するという煩わしさを解消し、ステレオ再生システム側に音量レベルを一定化する特別の機能を備える必要をなくしたオーディオ情報記録装置を提供することを目的とする。
【課題を解決するための手段】
【００２６】
以上の課題を解決するため、本発明では、取り込まれたオーディオ情報を記録媒体に記録するオーディオ情報記録装置において、取り込まれた前記オーディオ情報を一時的に格納するテンポラリバッファ部と、前記テンポラリバッファ部から読み出した前記オーディオ情報に含まれる音信号の平均音信号レベルを補正し、該補正された前記音信号を含む当該オーディオ情報を前記記録媒体に記録する記録部とを備えた。
【００２７】
そして、取り込まれた前記オーディオ情報は、オーディオ情報ファイル毎に前記テンポラリバッファ部に格納されるものとした。
【００２８】
前記記憶部は、補正部を有し、該補正部は、前記テンポラリバッファ部に格納された前記オーディオ情報ファイル毎に平均音信号レベルを検出し、該平均音信号レベルに基づいて前記補正を実行することとした。
【００２９】
さらに、前記補正部は、前記テンポラリバッファ部に格納されたオーディオ情報ファイルを読み出し、該オーディオ情報ファイルの音信号データに対して、検出された前記平均音信号レベルを、任意に設定された基準音信号レベルに一致させる補正を実行することとした。
【００３０】
前記補正部は、前記テンポラリバッファ部に格納されたオーディオ情報ファイルを読み出し、該オーディオ情報ファイルの音信号データに対して、検出された前記平均音信号レベルを、設定された標準の基準音信号レベルに一致させる補正を実行することとした。
【００３１】
前記補正部は、前記テンポラリバッファ部に最初に格納されたオーディオ情報ファイルを読み出し、該オーディオ情報ファイルから検出された平均音信号レベルを基準音信号レベルとし、前記テンポラリバッファ部に以後に格納されたオーディオ情報ファイルの音信号データに対して、該オーディオ情報ファイルの各平均音信号レベルを前記基準音信号レベルに一致させる補正を実行することとした。
【００３２】
前記補正部は、当該オーディオ情報ファイルに係る前記平均音信号レベルと前記基準音信号レベルに基づいて補正係数を求め、当該オーディオ情報に含まれる音信号に該補正係数を乗算して音信号レベルの補正を実行することとした。
【００３３】
前記記憶部は、前記補正係数を当該オーディオ情報ファイルに関連付けたテーブルで記憶し、管理するようにし、或いは、前記補正係数を当該オーディオ情報ファイルとともに前記記憶媒体に記憶するようにした。
【００３４】
前記補正部は、前記記録媒体に記録された前記オーディオ情報ファイルに含まれる音信号の平均音信号レベルを、ユーザが指定した基準音信号レベルに補正することができ、前記記録媒体に複数のオーディオ情報ファイルが記録されている場合、該各オーディオ情報ファイルの平均音信号レベルを一括して補正することができることとした。
【００３５】
前記補正部は、ユーザによる禁止又は許可の設定に応じて前記オーディオ情報ファイルに対する前記補正を実行することとした。
【００３６】
前記補正部は、前記基準音信号レベルが、前記テンポラリバッファ部に格納された前記オーディオ情報ファイルに係る前記平均音信号レベルのうちの最大音信号レベルを超える場合に、該最大音信号レベルに基づいて、当該オーディオ情報ファイルに含まれる音信号データに対する前記補正係数を求めることとした。
【００３７】
前記記録部は、前記補正部が前記テンポラリバッファ部から読み出された当該オーディオ情報ファイルの音信号データに対して前記補正を実行したときに、該音信号の記録時にクリッピングが発生する場合に、該オーディオ情報ファイルの前記記録媒体への記録に関するクリッピング報知情報を出力することとした。
【００３８】
前記記録部は、ユーザの出力可否の設定に従って、前記クリッピング報知情報を出力するようにした。
【００３９】
前記記録部は、ユーザによって補正時におけるクリッピング発生の許可が選択された場合、前記補正部に当該オーディオ情報ファイルの音信号データに対する前記補正を実行させることとし、ユーザによって補正時におけるクリッピング発生の禁止が選択された場合、ユーザが設定した基準音信号レベルに従って、前記補正部に当該オーディオ情報の音信号に対する前記補正を実行させることとした。
【００４０】
前記記録部は、ユーザが前記基準音信号レベルを設定した場合、前記記録媒体に記録された前記オーディオ情報ファイルの音信号データに対して、前記補正部に前記基準音信号レベルに従った前記補正を実行させることとした。
【００４１】
前記記録部は、ユーザによって補正時におけるクリッピング発生の禁止が選択された場合、前記補正部に当該オーディオ情報ファイルの音信号データに対する前記補正を実行させないようにし、或いは、前記オーディオ情報の前記記録媒体への記録を停止することとした。
【００４２】
前記記録部は、前記補正部が前記オーディオ情報ファイルの音信号データに対する前記補正を実行し、前記記録媒体に前記オーディオ情報を記録している間、電源が切断されないように監視し、警告情報を出力することとした。
【００４３】
また、本発明のオーディオ情報記録装置では、前記記録媒体を、書込み及び読出しが自在な記憶手段とし、前記テンポラリバッファ部が、前記記録媒体の一部であることとし、前記記録部は、補正された前記音信号を含む前記オーディオ情報を前記記録媒体に記録した後、前記テンポラリバッファ部に一時的に格納された前記オーディオ情報を消去するようにした。
【発明の効果】
【００４４】
以上のように、本発明では、取り込まれたオーディオ情報を記録媒体に記録するオーディオ情報記録装置において、取り込まれた前記オーディオ情報を一時的にテンポラリバッファ部に格納し、該テンポラリバッファ部から読み出したオーディオ情報に含まれる音信号の平均音信号レベルを補正し、該補正された前記音信号を含む当該オーディオ情報を前記記録媒体に記録するようにしたので、記録媒体に記録したオーディオ情報を再生するときに読み出されたオーディオ情報の出力レベルのバラツキが無くなり、どのオーディオ情報を選択してもその出力の平均音信号レベルは所定レベルに揃えられている。
【００４５】
また、ＭＤなどの他の記録媒体にコピーする機能を持つオーディオ再生システムであれば、本発明のオーディオ情報記録装置が組み込まれると、平均音信号レベルが揃った記録媒体を作成することができ、ユーザの利便性を向上することができる。さらに、テンポラリバッファ部を記録媒体中に一時的に割り当てることにより、大容量のバッファメモリを別途設け無くて済み、コスト低減を図ることができる。
【００４６】
また、本発明のオーディオ情報記録装置によれば、互いに異なる録音レベルで記録された種々の記録媒体から取り込まれたオーディオ情報を、内蔵された記録媒体に録音レベルをユーザの希望する所定レベルに自動補正しながら記録することができ、或いは、ユーザによって希望する所定レベルが設定されていなくとも、予め設定された所定レベルに自動補正される。
【００４７】
さらに、本発明のオーディオ情報記録装置によれば、オーディオ情報に含まれる音信号の平均音信号レベルを補正する際に、該オーディオ情報に含まれる楽曲の最大音信号レベルを加味するようにしたので、記録媒体に記録されるオーディオ情報の音信号にクリッピングが起こることを抑制できる。
【００４８】
そして、取り込まれオーディオ情報を内蔵記録媒体に記録する際に、記録媒体内蔵記録媒体に記録されるオーディオ情報の音信号にクリッピングが起こるときには、クリッピング発生のアラート表示がなされるので、ユーザは、記録されるオーディオ情報にクリッピングが発生したことを知ることができ、クリッピングが発生した状態で、或いは、クリッピングが発生しない状態で記録することを選択することができ、ユーザの利便性が向上される。
【発明を実施するための最良の形態】
【００４９】
次に、本発明によるオーディオ情報記録装置の実施形態について、図を参照しながら説明する。図１には、本発明によるオーディオ情報記録装置における基本的概念を表したシステム構成図が示されている。
【００５０】
図１に示されたオーディオ情報記録装置の基本的概念構成は、図１３に示されたオーディオ情報記録装置のシステム構成に基づいているが、図１の基本的概念構成が図１３のシステム構成と異なるところは、テンポラリバッファ部Ｂと補正部Ｋを備えていることである。リッピング部Ｒは、図１３に示されるように、アナログ入力信号が入力されるＡ／Ｄ変換部１と、ディジタル入力信号が入力されるＤＩＲ２とに対応している。
【００５１】
図１では、基本的概念のみを示しているので、ＨＤＤ１８に、オーディオ情報、例えば、ＣＤなどからリッピングされたオーディオ情報ファイルの音信号である音楽データを記録し、或いは、ＨＤＤ１８から該音楽データを読み出すシステム構成の詳細についての図示が省略されている。なお、以下の実施形態では、オーディオ情報記録装置に内蔵される記録媒体として、ＨＤＤを使用した場合で説明されるが、その記録媒体としては、ＨＤＤに限られず、例えば、メモリカードなど、他のタイプの記録媒体を使用できる。
【００５２】
図１３のオーディオ情報記録装置では、リッピング部ＲでＣＤから取り込まれたオーディオ情報ファイルの音信号である音楽データは、ＨＤＤ制御部１７を介して、直接に内蔵されたＨＤＤ１８に記録される。この様子は、図１においては、破線の矢印で示されている。この記録の仕方では、ＨＤＤ１８に音楽データの録音レベルは、リッピング部Ｒで取り込まれたままである。
【００５３】
そこで、本発明のオーディオ情報記録装置の実施形態では、リッピング部ＲでＣＤから取り込まれた音楽データをＨＤＤ１８に記録する前に、当該音楽データの録音レベルを所定レベルに補正し、その録音レベルが補正された音楽データをＨＤＤ１８に記録するようにした。
【００５４】
この補正を実現するため、図１に示されるように、リッピング部ＲでＣＤから取り込まれた複数の楽曲に係る音楽データが、一旦、テンポラリバッファ部Ｂに格納される。次いで、楽曲単位で、該音楽データの音信号レベルに関する平均音信号レベルが求められる。補正部Ｋにおいて、この平均音信号レベルが所定レベルに一致するように、音楽データに対して補正係数を乗算し、平均音信号レベルを補正される。平均音信号レベルが補正された各音楽データが、ＨＤＤ１８に記録される。
【００５５】
この補正により、ＨＤＤ１８に記録される楽曲データは、いずれも所定レベルに揃えられた状態で記録される。例えば、ＣＤ間で録音デベルが異なることにより、互いに異なる録音レベルの音楽データがリッピング部Ｒで取り込まれても、ＨＤＤ１８には、所定レベルに統一された平均音信号レベルを有する音楽データが記録される。
【００５６】
そして、ＨＤＤ１８に記録された音楽データを選択して読み出した場合、どの音楽データの記録レベルも同じである。そのため、音楽データがオーディオ再生システムに供給されて楽曲が再生される際に、録音レベルの大きい楽曲の後で、録音レベルの小さい楽曲を再生するとき、或いは、録音レベルの小さい楽曲の後で、録音レベルの大きい楽曲を再生するとき、ユーザが、その都度、音量を調整するという煩わしさが解消される。
【００５７】
なお、図１に示されたオーディオ情報記録装置では、リッピング部Ｒで取り込んだ各楽曲データは、一時的にテンポラリバッファ部Ｂに格納されるとしたが、このテンポラリバッファ部Ｂは、図１３に示されたＲＡＭ１３を利用することもでき、或いは、バス１９に接続された別のバッファメモリとすることもできる。また、上述の補正処理については、オーディオ制御部１１がＲＯＭ１２に記憶された補正処理プログラムに従って実行するものとする。
【００５８】
次に、上述した本実施形態において実行される補正処理と、記録レベルが補正された楽曲データのＨＤＤへの記録における補正処理の説明をする前に、本実施形態によるオーディオ情報記録装置における補正処理に関わる入力設定について説明する。本実施形態では、装置に接続されている表示部１６のディスプレイがタッチパネルで構成され、表示画面上でユーザ設定入力の操作ができるようになっている。そのユーザ設定画面の例が、図２に示されている。図２に示された例では、表示部１６の表示画面に、補正処理に係る設定入力画面が表示され、「レベル自動補正」、「ユーザレベル補正」、「ＨＤＤ録音レベル」、「クリッピング」及び「クリッピング・アラート表示」の各機能を設定するための入力設定用アイコンが並んでいる。
【００５９】
「レベル自動補正」の機能設定欄には、「ＯＮ」と「ＯＦＦ」のボタンが備えられ、ユーザがＨＤＤ１８に楽曲データを記録するとき、レベル自動補正のオン・オフの選択ができるようになっている。「ＯＦＦ」ボタンが押されると、レベル自動補正が解除される。ユーザが、録音レベルのままでＨＤＤ１８に記録することを希望する場合に、レベル自動補正をオフに設定にする。例えば、意図的に０ｄＢから−６ｄＢまで１ｄＢステップの正弦波テスト信号をＨＤＤ１８に記録する場合、レベル自動補正オフ機能が無いと、全て同レベルの信号に補正されてしまうため、ユーザが期待したとおりに記録することができないことになる。これを回避するためには、レベル自動補正オフ機能が必要となる。
【００６０】
「ユーザレベル設定」は、ＨＤＤ１８に記録される楽曲の記録レベルが、装置に初期設定されている標準の所定レベルに補正される他に、ユーザが所望する所定レベルに補正されることを選択する機能である。「ＯＮ」ボタンが押されると、「ＨＤＤ記録レベル」の入力欄で、ユーザが、所望する所定レベルの値を選択入力することができ、ＨＤＤ１８に記録される音楽データの録音レベルが、設定された該所定レベルに補正される。「ＮＯ」ボタンが押されると、レベル補正は、装置に初期設定され、例えば、製造者推奨の標準の所定レベルに設定される。
【００６１】
図３には、ユーザレベル設定に関するオーディオ制御部１１の処理フローが示されている。「ユーザレベル設定」の「ＯＮ」ボタンが押されると、「ＨＤＤ記録レベル」の入力欄を有効にして、ユーザが記録レベル値を入力することができる（ステップＳ１）。
【００６２】
また、「クリッピング」は、ＨＤＤ１８に記録される音楽データの記録レベルが、所定レベルに補正された結果、そのレベルによっては、音楽データの音信号がクリッピングされることがあり得る。このクリッピングは、音楽として歪を与えることになるので、敢えて、レベル補正を希望しないで、リッピングされた状態の音信号レベルでＨＤＤ１８に記録することもできる。この場合には、「禁止」ボタンを押し、クリッピングしないようにレベル補正を行う。「許可」ボタンを押した場合には、クリッピングが発生する可能性を承知の上で、レベル補正の実行を優先する。
【００６３】
図４には、クリッピングの禁止又は許可設定に関するオーディオ制御部１１の処理フローが示されている。「クリッピング」の「許可」ボタンが押されると、クリッピングの発生に関係無く、設定された所定レベルに基づいたレベル補正の実行が設定され、「禁止」ボタンが押されると、クリッピングが発生しない状態でレベル補正を実行する設定となる（ステップＳ２）。
【００６４】
「クリッピング・アラート表示」は、「クリッピング」の「許可」ボタンが押されている場合であって、リッピングされた楽曲データにレベル補正が行われた結果、クリッピングが発生したことを、ユーザに報知することを選択設定できる。「ＯＮ」ボタンが押されると、表示部１６の画面に、例えば、『このＴＲＡＣＫには８箇所のクリッピングポイントが存在します。ＨＤＤ記録レベルの見直し等を検討して下さい。』というクリッピング・アラート表示がなされる。特に、クリッピングが発生しても、気にしない場合には、「ＯＦＦ」ボタンを押して、アラート表示をさせないように設定することができる。
【００６５】
図５には、クリッピング・アラート表示のオン・オフ設定に関するオーディオ制御部１１の処理フローが示されている。「クリッピング・アラート表示」の「ＯＮ」ボタンが押されると、クリッピングが発生したときアラート表示されるように設定し、「ＯＦＦ」ボタンが押されると、クリッピングが発生しても、アラート表示をしないように設定する（ステップＳ３）。
【００６６】
以上のように、本実施形態のオーディオ情報記録装置には、図２に示されるように、表示部１６の表示画面を利用して、レベル補正に関連するユーザ設定を行う機能が用意されており、ユーザの利便性を配慮している。
【００６７】
次に、図６に示されたフローチャートに従って、内蔵ＨＤＤにオーディオ情報ファイルを記録する場合の本実施形態のオーディオ情報記録装置における処理動作を説明する。先ず、ＣＤに録音されている楽曲の音楽データをＨＤＤ１８に記録するため、オーディオ再生システムの入力手段に、一枚のＣＤが挿入されると、リッピング部Ｂによって、該ＣＤに録音されている音楽データがリッピングされる（ステップＳ１１）。
【００６８】
次いで、一曲分の音楽データがリッピング完了する毎に、オーディオ制御部１１の補正部Ｋは、この一曲分の音楽データについての平均音信号レベルを算出する（ステップＳ１２）。そして、オーディオ制御部１１は、この平均音信号が算出された音楽データをテンポラリバッファ部Ｂに格納する（ステップＳ１３）。
【００６９】
ここで、図３に示されたユーザ設定画面で、「レベル自動補正」機能の設定状態が判断される（ステップＳ１４）。「ＯＮ」設定されている場合には（ステップＳ１４のＯＮ）、「ユーザレベル設定」機能の設定状態が判断される（ステップＳ１５）。
【００７０】
このとき、ユーザレベル設定の「ＯＮ」ボタンが押され、ユーザの希望する所定レベルが設定されている場合には（ステップＳ１５のＹＥＳ）、ユーザが設定した所定レベルで音楽データをＨＤＤ１８に記録できるように、補正部Ｋにおいて、ステップＳ１２で算出した平均音信号レベルと所定レベルとに基づいて、補正係数ｋが算出される（ステップＳ１６）。
【００７１】
また、ステップＳ１５において、ユーザレベル設定の「ＯＦＦ」ボタンが押され、ユーザが所定レベルで記録することを希望していない場合には（ステップＳ１５のＮＯ）、装置に初期設定された製造者推奨の標準レベルで補正するかどうかが判断される（ステップＳ１７）。
【００７２】
この標準レベルで補正することが設定されている場合には（ステップＳ１７のＹＥＳ）、製造者推奨の標準レベルで音楽データをＨＤＤ１８に記録できるように、補正部Ｋにおいて、ステップＳ１２で算出した平均音信号レベルと所定レベルとに基づいて、補正係数ｋが算出される（ステップＳ１８）。
【００７３】
一方、ステップＳ１７において、標準レベルで補正することが設定されていない場合には（ステップＳ１７のＮＯ）、音楽データをＨＤＤ１８に記録するときのレベル補正に係る基準が無いことになるので、ＨＤＤ１８に記録される音楽データの記録レベルを揃えるために、最初にリッピングした音楽データの録音レベル、即ち、ステップ１２において算出された該音楽データの平均音信号レベルを基準とする。そこで、補正部Ｋにおいて、ステップＳ１２で算出した最初にリッピングされた音楽データの平均音信号レベルに基づいて、補正係数ｋが算出される（ステップＳ１９）。
【００７４】
ここで、最初にリッピングした音楽データの平均音信号レベルを基準にして、レベル補正する場合の例を、図７に示した。リッピングされた楽曲がＨＤＤ格納番号で表されており、図７の例では、５曲がリッピングされている。補正前平均レベルは、ステップ１２において算出された各楽曲の音楽データの平均音信号レベルを示し、補正後平均レベルは、レベル補正されてＨＤＤに記録されるときの各楽曲の記録レベルを示している。補正前平均レベルの欄に、リッピングされた各楽曲に対する録音レベルが互いに異なっている様子が示されている。
【００７５】
この例では、Ｎｏ．１の楽曲がリッピング部Ｒによって最初にリッピングされたことを示しており、Ｎｏ．１の楽曲の平均音信号レベルが、−３ｄＢと算出されている。この平均音信号レベルを、これ以降にリッピングされたＮｏ．２〜Ｎｏ．５の各楽曲のオン学データに対するレベル補正の基準とする。図７の表中では、この基準となる平均音信号レベルが太線枠で示されている。
【００７６】
各楽曲に対するレベル補正の仕方は、次のようである。Ｎｏ．１の楽曲は、レベル補正の基準レベル−３ｄＢに設定されているので、補正後平均レベルは、−３ｄＢのままである。次のＮｏ．２の楽曲については、録音レベルが−２ｄＢであるので、記録レベルについては、−１ｄＢだけ下げて−３ｄＢに補正される。Ｎｏ．３の楽曲以降についても、同様の補正処理が施されて、どの楽曲の記録レベルも、補正後平均レベルのように、−３ｄＢに揃えられる。
【００７７】
この様にして、リッピングされた全ての楽曲の音楽データが、最初にリッピングされた楽曲の音楽データの平均音信号レベルに基づいてレベル補正され、所定レベルである−３ｄＢに揃えられた状態でＨＤＤ１８に記録される。
【００７８】
次いで、ステップＳ１６、ステップＳ１８及びステップＳ１９において、ＨＤＤ１８に楽曲データを記録するときのレベル補正が行われる場合の全てのケースについての補正係数ｋが算出されたので、補正部Ｋは、リッピングされた音楽データに補正係数ｋを乗算して、ＨＤＤ１８に記録するための楽曲の記録データを作成する（ステップＳ２０）。そして、ＨＤＤ制御部１７は、その記録データをＨＤＤ１８に格納する（ステップＳ２１）。
【００７９】
これで、レベル補正が設定されている場合のオーディオ情報記録装置における音楽データの記録処理は、終了する。リッピング部Ｒでリッピングされた全ての楽曲の音楽データの録音レベルが補正され、各楽曲の記録レベルが所定レベルで揃えられた状態で、ＨＤＤ１８に記録が完了する。
【００８０】
一方、ステップＳ１４において、「レベル自動補正」機能に関して、「ＯＦＦ」ボタンが押され、リッピングされた音楽データに対して、レベル補正を行わないことに設定されている場合には（ステップＳ１４のＯＦＦ）、リッピング部Ｒでリッピングされた全ての楽曲の音楽データについて、補正処理を施すこと無く、図1に示された破線の矢印のように、音楽データは、直接に、ＨＤＤ１８に記録される。
【００８１】
ところで、本実施形態のオーディオ情報記録装置では、一曲の音楽データのリッピングが完了した時点で当該音楽データの平均音信号レベルが算出され、各楽曲の平均音信号レベルについてレベル補正するようにしているので、ＨＤＤへの楽曲データを記録している途中において、ユーザが誤ってオーディオ情報記録装置の電源を切ってしまうと、音楽データ記録処理が中断され、リッピングされた音楽データが失われたり、不完全な形で以上データが残ってしまうことになる。
【００８２】
そこで、ユーザが記録処理の途中で電源を切ることを防止するため、装置が記録処理を実行している間中に、アラート表示を行う。例えば、表示部１６の表示画面に、『リッピングデータ  補正中！  電源をＯＦＦしないで下さい。』のようなメッセージによるアラート表示をすることができる。
【００８３】
図８に、そのアラート表示に係るオーディオ制御部における処理のフローチャートが示されている。オーディオ制御部１１は、リッピングされた音楽データをＨＤＤに記録していることを認識し、ＨＤＤ記録データの作成中であるかどうかの判断を行う（ステップＳ３１）。
【００８４】
このとき、ＨＤＤ記録データが作成されていない場合には（ステップ３１のＮＯ）、装置の電源が切られても問題ないので、アラート表示をせずに終了するが、ＨＤＤ記録データが作成されている場合には（ステップ３１のＹＥＳ）、アラート表示による警告を行う（ステップＳ３２）。この警告手段としては、前述したような警告メッセージを表示部１６の表示画面に表示する。
【００８５】
そして、アラート表示をしてからタイマ処理が実行され（ステップＳ３３）、一定時間の経過毎にステップＳ３１に戻って、ＨＤＤ記録データの作成中であるかどうかの監視を続ける。ＨＤＤ記録データの作成が完了するまで、アラート表示が維持される。このアラート表示がなされることによって、ユーザが誤って装置の電源を切ることを防止することができる。
【００８６】
以上においては、図６に示されたオーディオ情報記録装置の動作に係るフローチャートに従い、ＣＤなどからリッピングされた楽曲データをＨＤＤに記録する場合の処理が説明された。次に、オーディオ情報記録装置に内蔵されたＨＤＤに既に記録された音楽データについて、各楽曲の音楽データの記録レベルを変更することが必要になる場合がある。
【００８７】
この既に記録された楽曲の記録データに対して一括して記録レベルを変更するため、例えば、表示部１６の表示画面に、記録レベル一括変更補正メニューを表示し、「レベル再補正」機能のアイコンを設ける。「ＯＮ」ボタンと「ＯＦＦ」ボタンとで、ＨＤＤに記録された音楽データのレベル再補正の可否を選択する。「ＯＮ」ボタンが押された場合に備えて、ＨＤＤに記録された楽曲の格納番号を選択指定できる入力欄を設けるか、或いは、全選択のボタンを備えておくと便利である。
【００８８】
この様な「レベル再補正」機能において、ユーザが「ＯＮ」ボタンを押し、レベル再補正を実行する楽曲が選択指定すると、オーディオ制御部１１は、ＨＤＤ１８に既に記録された音楽データの記録レベルを変更又は再補正の処理を実行する。図６に示された処理においては、テンポラリバッファ部Ｂに格納されるのは、リッピング部ＲでＣＤなどから取り込まれた音楽データであったが、記録レベルの変更又は再補正の処理の場合には、ＨＤＤ１８に記録された音楽データが、テンポラリバッファ部Ｂに格納される。そして、このテンポラリバッファ部Ｂに格納された音楽データの記録レベルが、補正部Ｋによって所定レベルに変更又は再補正される。
【００８９】
図９に、ＨＤＤに既に記録された楽曲の記録データの記録レベルを変更又は再補正のレベル補正に係る処理のフローチャートが示されている。先ず、ユーザによって、記録された楽曲の記録レベルを変更するレベル補正機能が選択されると、オーディオ制御部１１は、ＨＤＤ１８に記録された楽曲の記録データ数を確認する（ステップＳ４１）。
【００９０】
このとき、補正処理の必要数がいくつであるかが判断され（ステップＳ４２）、その必要数が０でない場合には（ステップＳ４２のＮＯ）、記録データに対するレベル補正が必要であるので、当該記録データの平均音信号レベルを検出する（ステップＳ４３）。
【００９１】
ここで、ＨＤＤ１８に楽曲の記録データが記録されるとき、当該記録データの記録レベルの再補正について許可又は禁止が設定されるようになっている。そこで、当該記録データに対して、記録レベルのレベル再補正の可否が指定されているどうかが判断される（ステップＳ４４）。
【００９２】
記録レベルのレベル再補正が許可されている場合には（ステップＳ４４のＹＥＳ）、補正部Ｋは、ユーザが設定した所定レベルに基づいて再補正係数ｋ１を算出する（ステップＳ４５）。そして、その再補正係数ｋ１を記録データに乗算することにより、レベル再補正されたＨＤＤ記録データを作成する（ステップＳ４６）。このとき、表示部１６の表示画面上に、『本当に変更しますか？』の確認メッセージを表示し、「ＹＥＳ」又は「ＮＯ」のボタンでユーザに確認を求めるようにすると、不所望なレベル変更を排除できる。
【００９３】
「ＹＥＳ」ボタンが押された場合には、このレベル再補正された記録データをＨＤＤ１８に記録する（ステップＳ４７）。次いで、補正処理の必要数をデクリメントした後に（ステップＳ４８）、ステップＳ４２に戻って、残りの記録データに対するレベル再補正の処理が実行される。
【００９４】
一方、ステップＳ４４において、当該記録データに対して、レベル再補正の禁止が設定されている場合には（ステップＳ４４のＮＯ）、再補正係数を算出することなく、ＨＤＤ１８に当該記録データを移動させる（ステップＳ４９）。その後、ステップＳ４８に進み、補正処理の必要数をデクリメントして、さらに、ステップＳ４２に戻って、残りの記録データに対するレベル再補正の処理が実行される。
【００９５】
以上のようにして、ステップＳ４１において確認した必要数分についてのレベル再補正処理が実行され、ＨＤＤ１８に記録された楽曲の記録データは、ユーザが設定した所定レベルに変更されて再記録されたことになる。
【００９６】
なお、レベル再補正の禁止又は許可を判断する付加情報は、ＨＤＤ１８に記録されている全楽曲の音楽データのそれぞれに、属性情報として付与されるようにしても良い。或いは、この付加情報を、ＨＤＤ１８内に別テーブル形式で格納するようにし、ＨＤＤ記録データと関連付けることでデータベース化して、一元管理を行うようにしても良い。
【００９７】
これまでに説明したレベル補正処理においては、音楽データの平均音信号レベルを、所定レベルに基づいてレベル補正するようにした。このレベル補正の際に、所定レベルの大きさによっては、音楽データの平均音信号レベルを補正し過ぎることがある。例えば、所定レベルを０ｄＢに設定して録音レベルの補正を実行する場合、算出された平均音信号レベルが、−４ｄＢであったとすると、当該音楽データに対して、４ｄＢアップのレベル補正が行われる。この様な場合、当該楽曲データにとっては、アップし過ぎになる可能性がある。
【００９８】
このレベル補正におけるアップし過ぎを防止するために、今回にレベル補正を実行しようとしている複数の楽曲の音楽データのうちで、平均音信号レベルが最も高いものを抽出して、最大レベル値を求める。そこで、標準設定され、或いは、ユーザ設定された所定レベルがこの最大レベル値を超えている場合には、この最大レベル値を基準にして、レベル補正を実行するようにする。この最大レベル値が、−２ｄＢであったとすると、平均音信号レベルが、−４ｄＢの音楽データに対しては、２ｄＢのアップで済み、レベル補正におけるアップし過ぎを軽減できる。
【００９９】
このレベル補正におけるアップし過ぎを防止した場合のレベル補正における処理について、図１０に、その処理のフローチャートが示されている。図１０に示されたフローチャートの処理手順は、図６に示されたフローチャートにおけるステップＳ１６、ステップＳ１８及びステップＳ１９で、補正係数を算出するときに、補正部Ｋの処理に組み込まれることができる。
【０１００】
先ず、補正部Ｋは、レベル補正するために補正係数を算出するとき、楽曲の平均音信号レベルに関する最大レベル値を考慮することが設定されているかどうかを判断する（ステップＳ５１）。このとき、最大レベル値を考慮しないと設定されている場合には（ステップＳ５１のＮＯ）、ユーザ設定の所定レベル、或いは、標準設定の所定レベルに従った補正係数が算出され、該補正係数が最終補正係数ｋ１としてレベル補正が実行される（ステップＳ５４）。
【０１０１】
一方、最大レベル値を考慮すると設定されている場合には（ステップＳ５１のＹＥＳ）、ユーザ設定の所定レベル、或いは、標準設定の所定レベルを参照して、最大レベル値が上限値となるかどうかを決定する（ステップＳ５２）。
【０１０２】
そして、これらの所定レベルが、最大レベル値を超えているときには、最大レベル値に基づいて最終補正係数ｋ１を算出し、最大レベル値が所定レベルを上回っているときには、所定レベルに基づいて最終補正係数ｋ１を算出する（ステップＳ５３）。以降のレベル補正された音楽データの作成と、ＨＤＤ１８への音楽データの記録は、図６に示されたステップＳ２０、ステップＳ２１と同様な処理で実行される。
【０１０３】
ところで、図２の音レベル設定画面例に関連して説明したように、ＨＤＤ１８に記録される楽曲の記録レベルが、所定レベルに補正された結果、そのレベルによっては、音楽データの音信号がクリッピングされることがあり得る。そのため、レベル補正時におけるクリッピングの発生を許可するか又は禁止するかの設定が可能となっている。そこで、レベル補正によるクリッピング発生に対処する処理手順について、図１６のフローチャートに示した。この処理手順は、図６のフローチャートにおけるステップＳ２０の処理に組み込まれる。
【０１０４】
先ず、レベル補正時におけるクリッピング発生の許可があるかどうかが判断される（ステップＳ６１）。図２に示された設定画面で、「クリッピング」機能の「許可」又は「禁止」ボタンにより設定され、クリッピング発生の「禁止」が設定されている場合（ステップＳ６１のＮＯ）、レベル補正によるクリッピングが発生しないように、所定レベルを変更してレベル補正を実行する（ステップＳ６６）。このとき、所定レベルを下げる変更を選択した場合には、ＨＤＤ１８に記録されている他の楽曲の音楽データとのレベルバランスに狂いが生じる可能性があるため、全楽曲の音楽データに対するレベル変更を合せて実行するとよい。
【０１０５】
一方、クリッピング発生の「許可」が設定されている場合には（ステップＳ６１のＹＥＳ）、ＨＤＤ１８に記録する音楽データにクリッピングが発生しているかどうかが判断される（ステップＳ６２）。このとき、記録される音楽データにクリッピングが発生している場合には（ステップＳ６２のＹＥＳ）、ユーザによって、クリッピング発生の表示がオンに設定されているかどうかが判断される（ステップＳ６３）。
【０１０６】
クリッピング発生の表示がオンに設定されているときには（ステップＳ６３のＯＮ）、クリッピング発生に対するアラート表示を行う（ステップＳ６４）。次いで、クリッピングした状態でレベル補正したＨＤＤ記録データを作成する（ステップＳ６５）。
【０１０７】
一方、ステップＳ６２において、クリッピングが発生していない場合、或いは、ステップＳ６３において、クリッピング発生の表示がオフに設定されている場合には、クリッピング発生のアラート表示を行わないので、ステップＳ６５に進んで、クリッピングした状態でレベル補正したＨＤＤ記録データが作成される。
【０１０８】
以上のように、本実施形態のオーディオ情報記録装置では、リッピング部ＲでＣＤなどから取り込まれた複数の楽曲の音楽データが、一旦、テンポラリバッファ部に格納され、楽曲単位で、該音楽データの音信号レベルに関する平均音信号レベルが求められ、補正部において、この平均音信号レベルが所定レベルに一致するように、音信号に対して補正係数を乗算し、平均音信号レベルが補正される。そして、平均音信号レベルが補正された各楽曲の音楽データが、ＨＤＤ１８に記録される。
【０１０９】
この補正により、ＨＤＤ１８に記録される音楽データは、いずれも所定レベルに揃えられた状態で記録されるので、例えば、ＣＤ間で録音仕様が異なる結果、或いは、異なる種類の記録媒体間で録音レベルが異なる結果、互いに異なる録音レベルの音楽データがリッピング部で取り込まれても、ＨＤＤには、所定レベルに統一された平均音信号レベルを有する音楽データが記録される。そのため、本実施形態のオーディオ情報記録装置がステレオ再生システムと組み合わされ、ＨＤＤから読み出された音楽データが再生されるときの音量レベルは、楽曲間で同一条件となり、ユーザによる音量調整の煩雑さを改善できる。
【０１１０】
なお、以上に説明した本発明のオーディオ情報記録装置では、図１に示されるように、オーディオ情報が一時的に格納される場所として、テンポラリバッファ部Ｂが、オーディオ情報の記録媒体であるＨＤＤとは別の格納部として備えられていた。このテンポラリバッファ部Ｂは、必ずしも、ＨＤＤと別に備える必要はなく、このＨＤＤの一部を利用することもできる。
【０１１１】
図１２に、図１に示されたオーディオ情報記録装置の変形例として、この場合のオーディオ情報記録装置の概要を示した。図１のオーディオ情報記録装置では、リッピング部Ｒで取り込まれたオーディオ情報は、テンポラリバッファ部Ｂに一時的に格納されたが、図１２に示されたオーディオ情報記録装置では、リッピング部Ｒで取り込まれたオーディオ情報は、ＨＤＤ１８のテンポラリバッファとして一時的に割り当てられた場所に格納される。このときには、オーディオ情報の音楽データは、レベル調整されない状態である。
【０１１２】
格納されたオーディオ情報に係る平均音信号レベルの補正処理に当たっては、補正部Ｋが、ＨＤＤ１８内のテンポラリバッファから当該音楽データを読み出し、平均信号レベルが算出され、レベル調整を実行する。このレベル調整の処理には、図２乃至図１１に示されたフローチャートによる手順が適用される。
【０１１３】
ＨＤＤ１８内のテンポラリバッファから読み出された音楽データに対するレベル調整処理がなされた後、レベル調整された音楽データを、ＨＤＤ１８内のテンポラリバッファとは別の場所に格納し、記録する。そして、補正部Ｋは、音楽データがＨＤＤ１８に記録された後において、ＨＤＤ１８内のテンポラリバッファに格納されている元の音楽データを消去する。
【０１１４】
以上のように、記録媒体の一つであるＨＤＤ内の一部をテンポラリバッファ部として一時的に利用することにより、大容量のバッファメモリを別途設ける必要が無くなり、コストの低減を図ることができる。
【０１１５】
なお、以上では、音声信号のレベルを調整する場合について説明されたが、本発明の適用は、この場合に限られず、ダイナミックレンジを調整する場合にも適用できる。音信号の信号レベルが全体にわたって大きく変化しない平均的な曲と、信号レベルが部分的に大きく変わる曲とに対して、音信号の平均レベルを同じ様に調整すると、前者の曲では、問題とならないが、後者の曲では、小音部の音量が小さ過ぎて聞き取りにくくなり、大音部の音量が大き過ぎてうるさく感じるという問題が発生する。
【０１１６】
そのため、本実施例が音信号のダイナミックレンジを調整する場合に適用されれば、小音部と大音部のレベル差を圧縮することにより、音量の変化を平均化し、全体を聞きやすい音量に調整することができる。音信号のダイナミックレンジを調整した上で、さらに、音信号の平均レベルを調整するようにしても良い。
【０１１７】
また、他の変形例としては、音声信号の周波数特性を調整することもできる。車載用音響機器の場合には、車両の室内という狭いスペースで再生音声を出力するため、曲によっては、高音部や低音部が聞き取りにくい場合がある。この場合には、ユーザは、曲に毎にイコライザなどを操作して、高音部や低音部のレベルを調整する必要があり、煩わしいという問題がある。そのため、音声信号の周波数特性を調整すると、この煩わしさを解消できる。
【０１１８】
そこで、本実施例では、曲のデータを、一度、テンポラリバッファに記録して、周波数特性を分析し、高音部や低音部を強調する必要があると判断される場合には、所定の周波数特性のフィルタ処理を施した後、ＨＤＤ１８に記録する。この様にすると、全ての曲が予め聴きやすい周波数特性で ＨＤＤ１８に記録されているため、ユーザは、曲毎にイコライザを操作する必要がなくなり、利便性が向上する。勿論、周波数特性の調整を、上述したレベル調整やダイナミックレンジ調整と組み合わせることもできる。
【０１１９】
また、周波数特性の調整としては、上述した高音部、低音部の強調だけでなく、高音部、低音部を減衰させ、或いは、ボーカル部分のみを強調・減衰するようにしても良く、車室の状態に応じて聴きやすい態様に調整すれば良い。また、車両の車室に合った好適な周波数特性を予めプリセットしておき、これにあわせて曲の周波数特性を調整するようにしても良い。
【０１２０】
この場合には、プリセットされる好適な周波数特性について、車両のタイプ（セダン、ミニバン、軽車両など）や、個々の車種毎に、ＨＤＤ１８やＲＯＭ１２に予めテーブルとして記憶させておき、ユーザが、自車両に合わせて選択するようにしても良い。また、通信機能付きのナビゲーション装置などを用いて、自分の使用する車両の車種に適合した周波数特性を、通信先のサーバからダウンロードするようにしても良い。
【０１２１】
また、ダイナミックレンジや周波数特性を調整するための処理部としては、図１に示されたオーディオ情報記録装置に備えられたレベル補正のための処理部をそのまま利用することが可能である。この処理部の信号処理にＤＳＰが用いられている場合であれば、ＤＳＰの信号処理に関わるソフトウエアを変更するだけで、信号レベルの調整、ダイナミックレンジの調整、周波数特性の調整のいずれにも対応させることができる。
【図面の簡単な説明】
【０１２２】
【図１】本発明によるオーディオ情報記録装置における基本的動作を説明する図である。
【図２】オーディオ情報記録装置に備えられた表示部に表示される音レベル設定関連メニューの例を説明する図である。
【図３】内蔵ＨＤＤに音楽を記録する場合の記録レベルを設定する処理を説明するフローチャートである。
【図４】内蔵ＨＤＤにオーディオ情報ファイルを記録するときのクリッピング発生に対する禁止又は許可を設定する場合の処理を説明するフローチャートである。
【図５】内蔵ＨＤＤにオーディオ情報ファイルを記録するときのクリッピング発生に対するアラートを表示する場合の処理を説明するフローチャートである。
【図６】内蔵ＨＤＤにオーディオ情報ファイルを記録する場合の本実施形態のオーディオ情報記録装置における処理動作の詳細を説明するフローチャートである。
【図７】内蔵ＨＤＤにオーディオ情報ファイルを記録するときにおけるレベル設定の仕方の例を説明する図である。
【図８】内蔵ＨＤＤにオーディオ情報ファイルを記録しているときの電源監視の例を説明するフローチャートである。
【図９】内蔵ＨＤＤに記録されたオーディオ情報ファイルに係る記録レベルを変更する場合の処理を説明するフローチャートである。
【図１０】最大音楽レベルに基づいて平均音信号レベルに対する補正係数の上限を決定する場合の処理を説明するフローチャートである。
【図１１】内蔵ＨＤＤにオーディオ情報ファイルを記録するときに発生する音信号に対するクリッピングに対処する場合の処理を説明するフローチャートである。
【図１２】本発明によるオーディオ情報記録装置の変形例における動作を説明する図である。
【図１３】内蔵ＨＤＤにオーディオ情報ファイルを記録することができるオーディオ情報記録装置のシステム概要をブロック構成で示した図である。
【符号の説明】
【０１２３】
１    Ａ／Ｄ変換部
２    ディジタル・インタフェース・レシーバ
３    ディジタル・シグナル処理部
４    Ｄ／Ａ変換部
５    音量制御部
６    パワーアンプ部
１１    オーディオ制御部
１２    ＲＯＭ
１３    ＲＡＭ
１４    圧縮エンコーダ／デコーダ部
１５    表示制御部
１６    表示部
１７    ＨＤＤ制御部
１８    ハードディスクドライブ（ＨＤＤ）
１９    バス
ＦＳＰ１、ＦＳＰ２    フロントスピーカ
ＲＳＰ１、ＦＳＰ２    リアスピーカ
Ｒ    リッピング部
Ｂ    テンポラリバッファ部
Ｋ    補正部
【図１】
2006209846.tif 000003
【図２】
2006209846.tif 000004
【図３】
2006209846.tif 000005
【図４】
2006209846.tif 000006
【図５】
2006209846.tif 000007
【図６】
2006209846.tif 000008
【図７】
2006209846.tif 000009
【図８】
2006209846.tif 000010
【図９】
2006209846.tif 000011
【図１０】
2006209846.tif 000012
【図１１】
2006209846.tif 000013
【図１２】
2006209846.tif 000014
【図１３】
2006209846.tif 000015